(57)【特許請求の範囲】
【請求項１】
上蓋部と下蓋部とから構成され、制御基板を収納する開閉可能な収納体であって、
前記上蓋部と下蓋部とを閉じた状態のときに、前記上蓋部と下蓋部とにより形成される密閉空間と、
前記密閉空間内に外部から所定のガスを充填可能な充填口と、
前記密閉空間内の気体を外部へ放出可能な放出口と、
前記密閉空間に充填された所定のガスと、
前記密閉空間に充填された所定のガスの状態を検知する検知手段と
を備えたことを特徴とする制御基板の収納体。
【請求項２】
上蓋部と下蓋部とから構成され、制御基板を収納する開閉可能な収納体であって、
前記上蓋部と下蓋部とを閉じた状態のときに、前記上蓋部の一部と前記制御基板とにより形成される密閉空間と、
前記密閉空間内に外部から所定のガスを充填可能な充填口と、
前記密閉空間内の気体を外部へ放出可能な放出口と、
前記密閉空間に充填された所定のガスと、
前記密閉空間に充填された所定のガスの状態を検知する検知手段と
を備えたことを特徴とする制御基板の収納体。
【請求項３】
前記検知手段の検知結果を、収納体の開放が行われたことを報知する報知手段に伝達する伝達手段を備えたことを特徴とする請求項１又は２に記載の制御基板の収納体。
【請求項４】
前記所定のガスは、ヘリウムガスであることを特徴とする請求項１乃至３の何れかに記載の制御基板の収納体。
【請求項５】
請求項１乃至４の何れかに記載の制御基板の収納体を備えた遊技機。
【請求項６】
上蓋部と下蓋部とから構成され、遊技機の制御を司る制御基板を収納する開閉可能な収納体を有する遊技機を備えた遊技システムにおいて、
前記上蓋部と下蓋部とを閉じた状態のときに、前記上蓋部と下蓋部とにより形成される密閉空間と、
前記密閉空間内に外部から所定のガスを充填可能な充填口と、
前記密閉空間内の気体を外部へ放出可能な放出口と、
前記密閉空間に充填された所定のガスと、
前記密閉空間に充填された所定のガスの状態を検知する検知手段と、
前記検知手段の検知結果に基づいた報知を行う報知手段と
を備えたことを特徴とする遊技システム。
【請求項７】
上蓋部と下蓋部とから構成され、遊技機の制御を司る制御基板を収納する開閉可能な収納体を有する遊技機を備えた遊技システムにおいて、
前記上蓋部と下蓋部とを閉じた状態のときに、前記上蓋部の一部と前記制御基板とにより形成される密閉空間と、
前記密閉空間内に外部から所定のガスを充填可能な充填口と、
前記密閉空間内の気体を外部へ放出可能な放出口と、
前記密閉空間に充填された所定のガスと、
前記密閉空間に充填された所定のガスの状態を検知する検知手段と、
前記検知手段の検知結果に基づいた報知を行う報知手段と
を備えたことを特徴とする遊技システム。
【請求項８】
前記遊技機はネットワークを介してホストコンピュータと接続されており、
当該ホストコンピュータは、
前記検知手段の検知結果を受信して前記報知手段による報知を行うか否かを判断する報知判断手段と、
当該判断手段が報知を行うと判断したときに、報知手段を制御して報知を行う報知制御手段と
を備えたことを特徴とする請求項６又は７に記載の遊技システム。
【請求項９】
前記遊技機はネットワークを介してホストコンピュターと接続されており、
当該ホストコンピュターは、
前記検知手段の検知結果を受信して遊技機の特定の制御を停止させるか否かを判断する遊技機停止判断手段と、
当該遊技機停止判断手段が遊技機の特定の制御を停止すると判断したときに、遊技機の特定の制御の停止を行う停止制御手段と
を備えたことを特徴とする請求項６及至８の何れかに記載の遊技システム。
【請求項１０】
前記遊技機の特定の制御とは、遊技球の発射制御であることを特徴とする請求項６及至９の何れかに記載の遊技システム。
【請求項１１】
前記遊技機の特定の制御とは、遊技機の主制御であることを特徴とする請求項６及至９の何れかに記載の遊技システム。
【請求項１２】
前記報知手段は前記所定のガスの状態、又は収納体の開閉状態の少なくとも一方に関する情報を表示する表示手段であることを特徴とする請求項６乃至１１の何れかに記載の遊技システム。
【請求項１３】
前記所定のガスは、ヘリウムガスであることを特徴とする請求項６乃至１２の何れかに記載の遊技システム。
【発明の詳細な説明】
【０００１】
【発明の属する技術分野】
本発明は、制御基板の収納体、遊技機及び遊技システムに関するものであり、詳細には遊技機の制御を司る制御基板を収納した収納体、当該収納体を備えた遊技機、及び当該収納体を有する遊技機を備えた遊技システムに関する。
【０００２】
【従来の技術】
従来、遊技機の制御を司る制御基板の不正改造、例えば、不正ＲＯＭへの交換を防止するために、制御基板を収納する制御基板収納ボックスには、様々な工夫が施されている。例えば、制御基板収納ボックスに封印シールを設けたり、また、特開平１０−２１６３２４号公報に記載のパチンコ機の制御基板収納ボックスでは、制御基板収納ボックスを閉じる封印ビスによって、制御基板収納ボックスの開放ができないようになっている。さらに、特開平９−３４３６５号公報に記載のパチンコ機では、可動接点を用いて収納ボックスの開閉を検出して、その検出信号を記憶して、発光ダイオードにより報知するようになっている。
【０００３】
【発明が解決しようとする課題】
しかしながら、封印シールを用いるものでは、制御基板収納ボックスを開放して不正ＲＯＭへの交換が終了した後に、精巧な偽造封印シールを張られてしまうと制御基板収納ボックスが開閉されたか否かを判断することは困難だった。また、封印ビスを用いるものでは、特殊な工具で強制的に封印ビスを回して制御基板収納ボックスを開放して不正ＲＯＭへの交換が行われてしまうことがあった。さらに、可動接点を用いて制御基板収納ボックスの開閉を検出するものでは、制御基板収納ボックスは、通常透明の樹脂により形成されているために、収納ボックスの開閉を検出する可動接点が用いられているのが目視により分かり、基板収納ボックスの隙間から、ピアノ線などを入れて可動接点が動かないようにされてしまうことがあった。この場合には、制御基板収納ボックスの開閉を検出することができなくなると言う問題点があった。さらに、上記の従来技術では、制御基板収納ボックスが開閉されたか否かは、制御基板を目視しないと判断できないという問題点があった。
【０００４】
本発明は、上記課題を解決するためになされたものであり、遊技機の制御を司る制御基板を収納した収納体の開放を検出して報知することのできる収納体、当該収納体を備えた遊技機、及び当該収納体を有する遊技機を備えた遊技システムを提供することを目的としている。
【０００５】
【課題を解決するための手段】
上記目的を達成するために、請求項１に係る発明の制御基板の収納体は、上蓋部と下蓋部とから構成され、制御基板を収納する開閉可能な収納体であって、前記上蓋部と下蓋部とを閉じた状態のときに、前記上蓋部と下蓋部とにより形成される密閉空間と、前記密閉空間内に外部から所定のガスを充填可能な充填口と、前記密閉空間内の気体を外部へ放出可能な放出口と、前記密閉空間に充填された所定のガスと、前記密閉空間に充填された所定のガスの状態を検知する検知手段とを備えている。
【０００６】
この構成の制御基板の収納体では、収納体を閉じた状態のときに、上蓋部と下蓋部とにより密閉空間が形成され、充填口からは、密閉空間内に外部から所定のガスが充填され、放出口からは、密閉空間内の気体が外部へ放出される。また、検知手段が密閉空間に充填された所定のガスの状態を検知する。
【０００７】
また、請求項２に係る発明の制御基板の収納体は、上蓋部と下蓋部とから構成され、制御基板を収納する開閉可能な収納体であって、前記上蓋部と下蓋部とを閉じた状態のときに、前記上蓋部の一部と前記制御基板とにより形成される密閉空間と、前記密閉空間内に外部から所定のガスを充填可能な充填口と、前記密閉空間内の気体を外部へ放出可能な放出口と、前記密閉空間に充填された所定のガスと、前記密閉空間に充填された所定のガスの状態を検知する検知手段とを備えている。
【０００８】
この構成の制御基板の収納体は、上蓋部の一部と制御基板とにより密閉空間が形成され、充填口からは、密閉空間内に外部から所定のガスが充填され、放出口からは、密閉空間内の気体が外部へ放出される。また、検知手段が密閉空間に充填された所定のガスの状態を検知する。
【０００９】
また、請求項３に係る発明の制御基板の収納体は、請求項１又は２に記載の発明の構成に加えて、前記検知手段の検知結果を、収納体の開放が行われたことを報知する報知手段に伝達する伝達手段を備えている。
【００１０】
この構成の制御基板の収納体では、請求項１又は２に記載の発明の作用に加えて、検知手段の検知結果を、伝達手段は収納体の開放が行われたことを報知する報知手段に伝達する。
【００１１】
また、請求項４に係る発明の制御基板の収納体は、請求項１乃至３の何れかに記載の発明の構成に加えて、前記所定のガスは、ヘリウムガスであることを特徴とする構成となっている。この構成の収納体では、請求項１乃至３の何れかに記載の発明の作用に加えて、所定のガスとして、ヘリウムガスが充填される。
【００１２】
また、請求項５に係る発明の遊技機は、請求項１乃至４の何れかに記載の制御基板の収納体を備えている。この構成の遊技機では、請求項１乃至４の何れかに記載の発明の作用を奏することができる。
【００１３】
また、請求項６に係る発明の遊技システムでは、上蓋部と下蓋部とから構成され、遊技機の制御を司る制御基板を収納する開閉可能な収納体を有する遊技機を備えた遊技システムにおいて、前記上蓋部と下蓋部とを閉じた状態のときに、前記上蓋部と下蓋部とにより形成される密閉空間と、前記密閉空間内に外部から所定のガスを充填可能な充填口と、前記密閉空間内の気体を外部へ放出可能な放出口と、前記密閉空間に充填された所定のガスと、前記密閉空間に充填された所定のガスの状態を検知する検知手段と、前記検知手段の検知結果に基づいた報知を行う報知手段とを備えている。
【００１４】
この構成の遊技システムでは、遊技機に備えた収納体を閉じた状態のときに、上蓋部と下蓋部とにより密閉空間が形成され、充填口からは、密閉空間内に外部から所定のガスが充填され、放出口からは、密閉空間内の気体が外部へ放出される。また、検知手段が密閉空間に充填された所定のガスの状態を検知し、報知手段が、検知手段の検知結果に基づいた報知を行う。
【００１５】
また、また、請求項７に係る発明の遊技システムでは、上蓋部と下蓋部とから構成され、遊技機の制御を司る制御基板を収納する開閉可能な収納体を有する遊技機を備えた遊技システムにおいて、前記上蓋部と下蓋部とを閉じた状態のときに、前記上蓋部の一部と前記制御基板とにより形成される密閉空間と、前記密閉空間内に外部から所定のガスを充填可能な充填口と、前記密閉空間内の気体を外部へ放出可能な放出口と、前記密閉空間に充填された所定のガスと、前記密閉空間に充填された所定のガスの状態を検知する検知手段と、前記検知手段の検知結果に基づいた報知を行う報知手段とを備えている。
【００１６】
この構成の遊技システムでは、上蓋部の一部と制御基板とにより密閉空間が形成され、充填口からは、密閉空間内に外部から所定のガスが充填され、放出口からは、密閉空間内の気体が外部へ放出される。また、検知手段が密閉空間に充填された所定のガスの状態を検知し、報知手段が、検知手段の検知結果に基づいた報知を行う。
【００１７】
また、請求項８に係る発明の遊技システムでは、請求項６又は７に記載の発明の構成に加えて、前記遊技機はネットワークを介してホストコンピュータと接続されており、当該ホストコンピュータは、前記検知手段の検知結果を受信して前記報知手段による報知を行うか否かを判断する判断手段と、当該判断手段が報知を行うと判断したときに、報知手段を制御して報知を行う報知制御手段とを備えている。
【００１８】
この構成の遊技システムでは、請求項６又は７に記載の発明の作用に加えて、ホストコンピュータの報知判断手段は、検知手段の検知結果を受信して報知手段による報知を行うか否かを判断し、当該報知判断手段が報知を行うと判断したときに、報知制御手段は、報知手段を制御して報知を行う。
【００１９】
また、請求項９に係る発明の遊技システムでは、請求項６乃至８の何れかに記載の発明の構成に加えて、前記遊技機はネットワークを介してホストコンピュターと接続されており、当該ホストコンピュターは、前記検知手段の検知結果を受信して遊技機の特定の制御を停止させるか否かを判断する遊技機停止判断手段と、当該遊技機停止判断手段が遊技機の特定の制御を停止すると判断したときに、遊技機の特定の制御の停止を行う停止制御手段とを備えている。
【００２０】
この構成の遊技システムでは、請求項６乃至８の何れかに記載の発明の作用に加えて、当該ホストコンピュータの遊技機停止判断手段は、検知手段の検知結果を受信して遊技機の特定の制御を停止させるか否かを判断し、当該遊技機停止判断手段が遊技機の特定の制御を停止させると判断したときに、停止制御手段は、遊技機の特定の制御の停止を行う。
【００２１】
また、請求項１０に係る発明の遊技システムでは、請求項６及至９の何れかに記載の発明の構成に加えて、前記遊技機の特定の制御とは、遊技球の発射制御であることを特徴とする構成となっている。
【００２２】
この構成の遊技システムでは、請求項６乃至９の何れかに記載の発明の作用に加えて、当該ホストコンピュータの遊技機停止判断手段は、検知手段の検知結果を受信して遊技機の遊技球の発射制御を停止させるか否かを判断し、当該遊技機停止判断手段が遊技機の遊技球の発射制御を停止させると判断したときに、停止制御手段は、遊技機の遊技球の発射制御の停止作業を行う。
【００２３】
また、請求項１１に係る発明の遊技システムでは、請求項６乃至９の何れかに記載の発明の構成に加えて、前記遊技機の特定の制御とは、遊技機の主制御であることを特徴とする。
【００２４】
この構成の遊技システムでは、請求項６乃至９の何れかに記載の発明の作用に加えて、当該ホストコンピュータの遊技機停止判断手段は、検知手段の検知結果を受信して遊技機の主制御を停止させるか否かを判断し、当該遊技機停止判断手段が遊技機の主制御を停止させると判断したときに、停止制御手段は、遊技機の主制御を停止する。
【００２５】
また、請求項１２に係る発明の遊技システムでは、請求項６乃至１１の何れかに記載の発明の構成に加えて、前記報知手段は前記所定のガスの状態、又は収納体の開閉状態の少なくとも一方に関する情報を表示する表示手段であることを特徴とする構成となっている。
【００２６】
この構成の遊技システムでは、請求項６乃至１１の何れかに記載の発明の作用に加えて、表示手段が所定のガスの状態、又は収納体の開閉状態の少なくとも一方に関する情報を表示する。
【００２７】
【００２８】
【００２９】
また、請求項１３に係る発明の遊技システムは、請求項６乃至１２の何れかに記載の発明の構成に加えて、前記所定のガスは、ヘリウムガスであることを特徴とする。この構成の遊技システムでは、請求項６乃至１２の何れかに記載の発明の作用に加えて、所定のガスとして、ヘリウムガスが充填される。
【００３０】
【発明の実施の形態】
以下、本発明の一実施の形態について図面を参照して説明する。まず、パチンコ機１の機械的構成について、図面を参照して説明する。図１はパチンコ機１の正面図である。図１に示すように、パチンコ機１の正面の上半分の部分には、略正方形の遊技盤２が設けられ、遊技盤２には、ガイドレール３で囲まれた略円形の遊技領域４が設けられている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー４８が設けられている。
【００３１】
次に、遊技盤２の機械的構造について図２を参照して説明する。図２はパチンコ機１の遊技盤２の正面図である。遊技盤２には、ガイドレール３で囲まれた略円形の遊技領域４が設けられている。遊技領域４の略中央には、液晶画面を備えた特別図柄表示装置８が設けられている。この特別図柄表示装置８には、図示外の第１図柄停止部、第２図柄停止部、第３図柄停止部及び普通図柄表示部が設けられており、普通図柄表示部には、一桁の数字や一文字のアルファベット等の図柄を表示できるようになっている。また、特別図柄表示装置８の右上方には電飾風車９が設けられ、左上方にも電飾風車１０が設けられている。さらに、特別図柄表示装置８の右側には普通図柄始動ゲート１１が設けられ、左側にも普通図柄始動ゲート１２が設けられている。
【００３２】
また、特別図柄表示装置８の下側には、特別図柄始動電動役物１５が設けられており、その特別図柄始動電動役物１５の下方には、大入賞口１６が設けられている。さらに、普通図柄始動ゲート１１の下方には、入賞口１９が設けられ、普通図柄始動ゲート１２の下方には、入賞口２０が設けられている。さらに、特別図柄表示装置８の下部には遊技球を暫時載置可能なステージ２１が遊技盤２の表面に対して略垂直に設けられ、特別図柄表示装置８の右肩には遊技球通過口２２が設けられ、特別図柄表示装置８の左肩には遊技球通過口２３が設けられている。これらの遊技球通過口２２，２３を通過した遊技球が特別図柄表示装置８の内部（ワープゾーン）を通ってステージ２１に現出するようになっている。ステージ２１に現出した遊技球は、ステージ２１の直下に設けられている特別図柄始動電動役物１５に向かって落下するようになっている。
【００３３】
また、特別図柄表示装置８の上部には、４個のＬＥＤから成る普通図柄記憶数表示ＬＥＤ５９が設けられており、この普通図柄記憶数表示ＬＥＤ５９は、普通図柄始動ゲート１１，１２を通過した遊技球のいわゆる保留球数を表示することができる。また、普通図柄記憶数表示ＬＥＤ５９の上方には、４個のＬＥＤから成る特別図柄記憶数表示ＬＥＤ６０が設けられており、特別図柄始動電動役物１５に入賞したいわゆる保留球の数を表示することができる。尚、遊技盤２には、上記以外に、種々の電飾ランプ、風車及び多数の障害釘等が設けられている。尚、遊技盤２の左上部には、基板ボックス８０の開放を告知するための告知ランプ８６が設けられている。
【００３４】
次に、図３を参照して、パチンコ機１の背面の構造について説明する。図３はパチンコ機１の背面図である。図３に示すように、パチンコ機１の背面には、パチンコ機１の主制御を司る主制御基板４１を収納した基板ボックス８０が設けられている。
【００３５】
次に、図４乃至図６を参照して、基板ボックス８０の構造について説明する。図４は、基板ボックス８０の平面図であり、図５は、基板ボックス８０の底面図であり、図６は、基板ボックス８０の斜視図である。
【００３６】
図４乃至図６に示すように、基板ボックス８０内には、パチンコ機１の主制御を司る主制御基板４１が内蔵されている。この基板ボックス８０は、図６に示すように、略直方体形状に形成され、一部に突出部を備えている。また、基板ボックス８０は、透明な樹脂製の上蓋部８０ａと、透明な樹脂製の下蓋部８０ｂとから構成され、上蓋部８０ａと下蓋部８０ｂとの間には、図６に示すように、密閉性を保つためのパッキン９３が設けられている。
【００３７】
更に、上蓋部８０ａには、図６に示すように、主制御基板４１に設けられているＬＳＩ５０がソケット（図示外）から脱落することを防止するために、ＬＳＩ５０に対向する上蓋部８０ａに、略直方体の凹部８０ｄが形成され、凹部８０ｄの底部８０ｅは、ＬＳＩ５０の上面の面積より一回り大きい長方形に形成され、当該底部８０ｅの下面がＬＳＩ５０の上面に対向して、ＬＳＩ５０がソケットから脱落するのを防止するようになっている。
【００３８】
また、図４及び図５に示すように、上蓋部８０ａの上面の左端部には、基板ボックス８０内に、ヘリウムガスを充填するための充填口である充填バルブ９０が設けられており、充填バルブ９０は、図示外のヘリウムガスボンベに接続されたノズルを差し込んだときにのみ、開放されて、ヘリウムガスを充填することができるようになっており、当該ノズルを引き抜くと、充填バルブ９０は閉じて、ヘリウムガスが漏れないようになっている。
【００３９】
また、図４及び図５に示すように、上蓋部８０ａの上面の右端部の中央より少し下には、上記充填バルブ９０から、ヘリウムガスを充填するときに、基板ボックス８０内の空気を抜くための空気の放出口である放出バルブ９１が設けられている。充填バルブ９０からヘリウムガスを充填するときに、この放出バルブ９１の中央部を押し下げることにより、基板ボックス８０内の空気を放出することができ、放出バルブ９１の中央部を押し下げることを止めると、放出バルブ９１は閉じられて、基板ボックス８０内の密閉性は保たれるようになっている。また、基板ボックス８０へのヘリウムガスの充填前に放出バルブ９１から真空ポンプにより空気を抜いて、基板ボックス８０内を真空にしておけば、充填バルブ９０から効率よくヘリウムガスの充填が可能であり、収納体毎の検知結果のバラつきをなくすことができる。
【００４０】
また、図４及び図６に示すように、上蓋部８０ａの右端部には、略長方形の板状の突出部８０ｇが設けられ、突出部８０ｇには、ねじ孔部８０ｃが一列に４つ設けられ、各々のねじ孔８０ｃには、上蓋部８０ａと下蓋部８０ｂとを固定するねじ９２が各々設けられている。また、上蓋部８０ａの左端部には、略長方形の板状の突出部８０ｆが設けられ、突出部８０ｆには、ねじ孔部８０ｃが一列に４つ設けられ、各々のねじ孔８０ｃには、上蓋部８０ａと下蓋部８０ｂとを固定するねじ９２が各々設けられている。尚、パッキン９３が設けられているために前記ねじ孔部８０ｃからのガス漏れが防止される。さらに、図４に示すように上蓋部８０ａには、略長方形の突出部８０ｊが設けられ、突出部８０ｊには、コネクタ９５が設けられている。
【００４１】
また、図５に示すように、下蓋部８０ｂの左端部には、略長方形の板状の突出部８０ｈが設けられ、突出部８０ｈの内部には、ねじ９２を受けるねじ受け８１ｂが一列に４つ設けられている。下蓋部８０ｂの右端部には、略長方形の板状の突出部８０ｉが設けられ、突出部８０ｉの内部には、ねじ９２を受けるねじ受け８１ｂが一列に４つ設けられている。
【００４２】
次に、図４及び図６を参照して、基板ボックス８０に収納された主制御基板４１の構造を説明する。主制御基板４１は、略長方形のプリント基板から構成され、主制御基板４１には、パチンコ機１の主制御を司るＬＳＩ５０が設けられている。このＬＳＩ５０の内部には、後述する中央演算装置であるＣＰＵ５１と、データを記憶するＲＡＭ５２及びプログラム等を記憶したＲＯＭ５３が内蔵されている。従って、ＬＳＩ５０は、１チップで、ＣＰＵ、ＲＡＭ及びＲＯＭの役割を果たすことができる。尚、遊技機業界では、このＬＳＩ５０を単に「ＲＯＭ」と称することもある。
【００４３】
また、主制御基板４１上には、ＴＴＬ−ＩＣ８４等の多数の集積回路が配置されている。さらに、主制御基板４１上には、電源の安定化のための電解コンデンサー８３、トランス８５、及び基板ボックス８０内のヘリウムガスの純度を検出するヘリウムガスセンサ８２が設けられている。
【００４４】
次に、本実施の形態のパチンコ機１の電気的構成について図７を参照して説明する。図７は、パチンコ機１の電気的回路構成を示すブロック図である。パチンコ機１の制御部４０はパチンコ機１の裏側に設けられ、この制御部４０は、主制御基板４１、電源基板４２、音基板４３、図柄表示基板４４、払出制御基板４５、電飾基板４６、中継基板４７、及び発射基板６６から構成され、主制御基板４１には、プログラムに従って各種の処理を行うＬＳＩ５０が設けられている。このＬＳＩ５０には、各種の演算処理を行うＣＰＵ５１、フラグやカウンタ値やデータやプログラム等を記憶するＲＡＭ５２と、制御プログラム及び各種の初期値のデータや特別図柄表示装置８への表示内容のデータ等を記憶したＲＯＭ５３とが設けられており、これらは一つのＬＳＩとして一体にモールディングされている。
【００４５】
また、ＬＳＩ５０には、割込リセット回路５７が接続され、割込リセット回路５７は、０．００２秒（以下、「２ｍｓ」と略す。）毎に、割込信号をＣＰＵ５１に与えるようになっており、ＣＰＵ５１は、ＲＯＭ５３に記憶された制御プログラムに従って、パチンコ機１の制御を行う。尚、ＣＰＵ５１の一例としては、８ビット、１６ビット、３２ビット、６４ビット等のＣＰＵが使用されている。
【００４６】
また、主制御基板４１には、音基板４３、図柄表示基板４４、払出制御基板４５、電飾基板４６、中継基板４７等とデータ信号の送受信を行うＩ／Ｏインターフェース５４が設けられている。このＩ／Ｏインターフェース５４には、後述するホールコンピュータ１００にパチンコ機１の情報を出力する出力ポート５５が接続されている。また、Ｉ／Ｏインターフェース５４には、ヘリウムガスセンサ８２が接続され、基板ボックス８０内のヘリウムガスの純度を電気信号としてＩ／Ｏインターフェース５４を介して、ＣＰＵ５１に伝達可能となっている。
【００４７】
尚、音基板４３、図柄表示基板４４、払出制御基板４５、電飾基板４６及び発射基板６６にも、ＣＰＵ（図示外）、ＲＡＭ（図示外）、ＲＯＭ（図示外）、Ｉ／Ｏインターフェース（図示外）が各々搭載されている。尚、主制御基板４１はパチンコ機１の主制御を司り、電源基板４２は各基板に直流電流を供給し、音基板４３はパチンコ機１の効果音の発生を制御し、図柄表示基板４４は特別図柄表示装置８の制御を行い、払出制御基板４５は賞品球払出装置４９の制御を行い、電飾基板４６はパチンコ１の各電飾の発光態様を制御し、中継基板４７は、各センサーの配線の中継を行っている。また、発射基板６６は、遊技球を発射する発射モーター６７の制御を行っている。
【００４８】
ここで、電飾基板４６には、普通図柄記憶数表示ＬＥＤ５９、特別図柄記憶数表示ＬＥＤ６０、その他のＬＥＤ６２、電飾ランプ６３及び報知ランプ８６が接続されている。この報知ランプ８６は、ヘリウムガスセンサ８２が基板ボックス８０内のヘリウムガスの純度が所定値未満になったことを検知すると、ＣＰＵ５１の制御により、所定の点滅パターンで点滅するようになっている。即ち、基板ボックス８０の上蓋部８０ａが外されると、基板ボックス８０内に充填したヘリウムガスが発散してしまうので、ヘリウムガスセンサ８２が基板ボックス８０内のヘリウムガスの純度が所定値未満になったことを検知すると、ＣＰＵ５１の制御により、点滅するようになっている。尚、この検知結果の信号は、後述するホールコンピュータ１００やインターネット１２０を介して接続されたサーバ１３０にも送信されるようになっている。
【００４９】
図７に示すよう、図柄表示基板４４には特別図柄表示装置８が接続され、また、音基板４３には、スピーカー４８が接続され、また、払出制御基板４５には、賞品球払出装置４９が接続され、さらに、中継基板４７には、大入賞口開放ソレノイド７０、特別図柄始動電動役物開放ソレノイド７１、特別図柄始動電動役物１５に入賞した遊技球を検出する始動口スイッチ７２、普通図柄始動ゲート１１，１２を通過した遊技球を検出する普通図柄作動スイッチ７３、大入賞口１６内のＶゾーンに入賞した遊技球を検出するＶスイッチ７４、大入賞口１６に入賞した遊技球数を計数するためのカウントスイッチ７５、普通入賞口１９，２０等に入賞して図示外の案内通路により入賞球集合部に集められた入賞球を検出する入賞口スイッチ７６とが接続されている。
【００５０】
また、電源基板４２は、主制御基板４１、音基板４３、図柄表示基板４４、払出制御基板４５、電飾基板４６、中継基板４７に各々接続されて、直流の安定化された電力が供給されるようになっている。尚、電源基板４２には、交流２４Ｖが供給されている。電源基板４２には、図示外のシリコンダイオードブリッジからなる整流器、電解コンデンサからなる平滑回路、レギュレータＩＣからなる安定化回路等が設けられており、安定化された直流の１２Ｖ及び５Ｖ等を供給できるようになっている。尚、図４では、特に図示しないが、主制御基板４１、電源基板４２、音基板４３、図柄表示基板４４、払出制御基板４５、電飾基板４６、中継基板４７は、全て、アースラインで接続されている。
【００５１】
次に、ヘリウムガスセンサ８２について説明する。ヘリウムガスセンサ８２には、市販のヘリウムガス純度計と同じようにピラニ式の測定素子を用いることができる。このピラニ式の測定素子は、ガスの種類による熱伝導度の差を利用して、ヘリウムガスの純度を調べるもので、例えば、ピラニ真空測定子（日本真空株式会社ＷＰ−０１型）を用いることができる。また、株式会社東理社のヘリウムガス純度計ＴＵ−１５３０等を用いてもよい。
【００５２】
次に、図８乃至図１０を参照して、本発明の一実施の形態である遊技システムの構成を説明する。図８は、遊技システムの構成を示す概念図であり、図９は、遊技システムを構成する遊技場に設置されたホールコンピュータ１００の電気的構成のブロック図であり、図１０は、遊技システムを構成する遊技機製造会社の管理サーバ１３０のブロック図である。
【００５３】
この実施の形態の遊技システム１では、遊技機の製造会社に設置された遊技機情報の管理サーバ１３０が、インターネット３を介して、遊技場に設置されたホールコンピュータ１００に接続されている。また、ホールコンピュータ１００には、遊技場に設置された複数のパチンコ機１が接続されている。従って、基板ボックス８０内のヘリウムガスの純度を検出するヘリウムガスセンサ８２からの検出信号は、パチンコ機１からホールコンピュータ１００に伝達され、さらに、インターネット３を介して、遊技機の製造会社に設置された遊技機情報の管理サーバ１３０にまで伝達される。尚、管理サーバ１３０には、ＣＲＴ２３０及びキーボード２３１が接続されている。また、ホールコンピュータ１００には、ＣＲＴ１５３及びキーボード１５４が接続されている。
【００５４】
次に、図９を参照して、ホールコンピュータ１００の電気的構成について説明する。図９は、ホールコンピュータ１００の電気的構成のブロック図である。図９に示すように、ホールコンピュータ１００には、ホールコンピュータ１００の制御を司るＣＰＵ１４０が設けられ、ＣＰＵ１４０には、各種のデータを一時的に記憶するＲＡＭ１４１と、ＢＩＯＳ等を記憶したＲＯＭ１４２と、データの受け渡しの仲介を行うＩ／Ｏバス１４３とが接続されている。Ｉ／Ｏバス１４３には、ハードディスク装置１４８が接続され、当該ハードディスク装置１４８には、遊技場に設置されている各パチンコ機１の個別の大当たりの回数や、はずれの回数（所謂回転数）や、出玉数等を記憶する遊技機データベース記憶エリア４８０と、後述する基板ボックス８０の開放の判定処理で使用する基準値を記憶した基準値記憶エリア４８１と、ＣＰＵ１４０で実行されるプログラムを記憶したプログラム記憶エリア４８２と、その他の情報記憶エリア４８３とが設けられている。従って、ホールコンピュータ１００は遊技場に設置されているパチンコ機１を管理するコンピュータである。
【００５５】
また、Ｉ／Ｏバス１４３には、ビデオコントローラ１４４と、キーコントローラ１４５と、ＣＤ−ＲＯＭドライブ１４６と、ＬＡＮカード１４９と、遊技機接続端子１５１とが接続され、ビデオコントローラ１４４にはＣＲＴ１５３が接続され、キーコントローラ１４５にはキーボード１５４が接続され、ＬＡＮカード１４９にはハブ１５０が接続され、ハブ１５０には他のパーソナルコンピュータ等を接続するＬＡＮケーブル１６８が接続されている。また、ハブ１５０にはルータ１５２が接続され、ハブ１５０に接続されているホールコンピュータ１００が、インターネット１２０に接続可能となっている。
【００５６】
さらに、遊技機接続端子１５１には、遊技場に設置されている複数のパチンコ機１の出力ポート５５が接続されており、パチンコ機１から大当たりのデータ、はずれ回数（回転数）のデータ、確率変動確定等の特定大当たりのデータ等が入力されるようになっている。また、遊技機接続端子１５１には、複数のパチンコ機１の出力ポート５５から、ヘリウムガスセンサ８２からの検出信号も入力されるようになっている。
【００５７】
尚、ＣＤ−ＲＯＭドライブ１４６に挿入されるＣＤ−ＲＯＭ１４７には、ホールコンピュータ１００の制御プログラムが記憶されており、導入時には、制御プログラムは、ＣＤ−ＲＯＭ１４７から、ハードディスク装置１４８にセットアップされてプログラム記憶エリア４８２に記憶されるようになっている。
【００５８】
次に、遊技機の製造会社に設けた遊技機情報の管理サーバ１３０の機器構成について、図１０を参照して説明する。
【００５９】
図１０に示すように、遊技機情報の管理サーバ１３０には、遊技機情報の管理サーバ１３０の制御を司るＣＰＵ２２０が設けられ、ＣＰＵ２２０には、各種のデータを一時的に記憶するＲＡＭ２２１と、ＢＩＯＳ等を記憶したＲＯＭ２２２と、データの受け渡しの仲介を行うＩ／Ｏバス２２３とが接続されている。Ｉ／Ｏバス２２３には、ハードディスク装置２２８が接続され、当該ハードディスク装置２２８には、遊技場に設置されている各パチンコ機１の個別の大当たりの回数や、はずれの回数（所謂回転数）や、出玉数等を記憶する遊技機データベース記憶エリア２８０と、後述する基板ボックス８０の開放の判定処理で使用する基準値を記憶した基準値記憶エリア２８１と、インターネット１２０により公開されるＨＴＭＬ（ハイパー・テキスト・マークアップ・ランゲージ）で作成されたホームページ用のデータが記憶されたホームページデータ記憶エリア２８２と、ＣＰＵ２２０で実行されるプログラムを記憶したプログラム記憶エリア２８３と、その他の情報記憶エリア２８４とが設けられている。
【００６０】
また、Ｉ／Ｏバス２２３には、ビデオコントローラ２２４と、キーコントローラ２２５と、ＣＤ−ＲＯＭドライブ２２６と、ＬＡＮカード２２９とが接続され、ビデオコントローラ２２４にはＣＲＴ２３０が接続され、キーコントローラ２２５にはキーボード２３１が接続され、ＬＡＮカード２２９にはルータ２３２が接続され、ルータ２３２はインターネット１２０に接続されている。尚、ＣＤ−ＲＯＭドライブ２２６に挿入されるＣＤ−ＲＯＭ２２７には、遊技機情報の管理サーバ１３０で実行される各種のプログラムであるアプリケーションプログラムが記憶されており、導入時には、アプリケーションプログラムは、ＣＤ−ＲＯＭ２２７から、ハードディスク装置２２８にセットアップされてプログラム記憶エリア２８３に記憶されるようになっている。
【００６１】
さらに、管理サーバ１３０には、インターネット１２０を介して接続されるホールコンピュータ１００を経由してヘリウムガスセンサ８２からの検出信号も入力されるようになっている。
【００６２】
次に、図１１に示すフローチャートを参照して、基板ボックス８０が開放されたか否かを検出して報知する監視処理について説明する。図１１は、基板ボックス８０の開放を検出して報知する監視処理のフローチャートである。この基板ボックス８０の開放を検出して報知する監視処理は、パチンコ機１のＣＰＵ５１と、ホールコンピュータ１００のＣＰＵ１４０と、管理サーバ１３０のＣＰＵ２２０により各々行われる。
【００６３】
まず、パチンコ機１が遊技機製造会社で組み立てられたときに、基板ボックス８０には、充填バルブ９０からヘリウムガスが充填され、放出バルブ９１からは、基板ボックス８０内の空気が放出されて、基板ボックス８０内には、ヘリウムガスが略１００％の純度で充填されて密閉された状態で出荷される。
【００６４】
パチンコ機１が遊技機製造会社から出荷された後に、運搬途中や遊技場で、基板ボックス８０が不法に開放されると、基板ボックス８０内のヘリウムガスは、大気中に発散して、基板ボックス８０内は、通常の空気になる。
【００６５】
パチンコ機１に電源が供給されて起動されると、パチンコ機１の主制御基板４１では、図１１に示すフローチャートに従った基板ボックス８０の開放を検出し報知する監視処理を行う。まず、ヘリウムガスセンサ８２からのヘリウムガスの純度信号を取得しＲＡＭ５２に記憶する（Ｓ１０）。次いで、ＲＯＭ５３に記憶しているヘリウムガスの基準値と比較する（Ｓ１１）。
【００６６】
例えば、ＲＯＭ５３に記憶しているヘリウムガスの純度基準値が「５０％」であり、Ｓ１０の処理で取得したヘリウムガスセンサ８２からのヘリウムガスの純度信号に基づいて求めたヘリウムガスの純度が、「５０％」未満であれば（Ｓ１２：ＹＥＳ）、基板ボックス８０内のヘリウムガスの純度が、工場出荷時よりかなり低下しているので、基板ボックス８０が開放されたと判断する（Ｓ１２：ＹＥＳ）。従って、主制御基板４１のＣＰＵ５１から電飾基板４６へ、基板ボックス開放報知信号を送り、報知ランプ８６を所定の点滅パターンで点滅させる（Ｓ１３）。これにより、遊技場の従業員に、基板ボックス８０が開放されたことを報知することができる。その後、監視処理終了の指示がなされるまで、上記Ｓ１０〜Ｓ１３の処理を繰り返す。尚、Ｓ１３の報知処理時に、主制御基板４１のＣＰＵ５１から払出制御基板４５に遊技球の発射停止信号を送り、払出制御基板４５が発射基板６６に発射モーター６７の停止信号送り、発射基板６６が発射モーター６７を停止するようにしても良い。
【００６７】
次に、ホールコンピュータ１００で行われる基板ボックス８０の開放を検出し報知する監視処理について、図１１に示すフローチャートを参照して説明する。ホールコンピュータ１００のＣＰＵ１４０は、遊技機接続端子１５１を介して、接続されているパチンコ機１のヘリウムガスセンサ８２からのヘリウムガスの純度信号を取得し、ＲＡＭ１４１に記憶する（Ｓ１０）。次いで、ハードディスク装置１４８の基準値記憶エリア４８１に記憶しているヘリウムガスの基準値と比較する（Ｓ１１）。
【００６８】
例えば、基準値記憶エリア４８１に記憶しているヘリウムガスの純度基準値が「５０％」であり、Ｓ１０の処理で取得したヘリウムガスセンサ８２からのヘリウムガスの純度信号に基づいて求めたヘリウムガスの純度が、「５０％」未満であれば（Ｓ１２：ＹＥＳ）、基板ボックス８０内のヘリウムガスの純度が、工場出荷時よりかなり低下しているので、基板ボックス８０が開放されたと判断できる（Ｓ１２：ＹＥＳ）。
【００６９】
従って、ホールコンピュータ１００のＣＰＵ１４０は、Ｉ／Ｏバス１４３を介して、ビデオコントローラ１４４に警告報知の信号を送り、ＣＲＴ１５３にパチンコ機１の台番号と基板ボックス８０の開放を示す「ＸＸＸ番台、基板ボックス開放」、又は「ＸＸＸ番台、基板ボックス内ヘリウムガス純度低下」等の文字を表示する（Ｓ１３）。これにより、遊技場の従業員に、基板ボックス８０が開放されたことを報知することができる。その後、監視処理終了の指示がなされるまで、上記Ｓ１０〜Ｓ１３の処理を繰り返す。尚、Ｓ１３の報知処理時に、ホールコンピュータ１００のＣＰＵ１４０は、Ｉ／Ｏバス１４３及び遊技機接続端子１５１を介して、パチンコ機１の主制御基板４１のＣＰＵ５１へ遊技球の発射停止信号を送り、主制御基板４１のＣＰＵ５１は払出制御基板４５に遊技球の発射停止信号を送り、払出制御基板４５が発射基板６６に発射モーター６７の停止信号送り、発射基板６６が発射モーター６７を停止するようにしても良い。
【００７０】
尚、ホールコンピュータ１００では、遊技機接続端子１５１を介して、接続されているパチンコ機１のヘリウムガスセンサ８２からのヘリウムガスの純度信号を、ＬＡＮカード１４９、ハブ１５０、及びルータ１５２を介して、インターネット１２０を経由して、遊技機製造会社の管理サーバ１３０に送信している。
【００７１】
遊技機製造会社の管理サーバ１３０では、図１１に示すフローチャートに従って基板ボックス８０の開放を検出し報知する監視処理を行っている。まず、管理サーバ１３０のＣＰＵ２２０は、ホールコンピュータ１００からインターネット１２０を介して送信されて来るパチンコ機１のヘリウムガスセンサ８２からのヘリウムガスの純度信号を取得しＲＡＭ２２１に記憶する（Ｓ１０）。次いで、ハードディスク装置２２８の基準値記憶エリア２８１に記憶しているヘリウムガスの基準値と比較する（Ｓ１１）。
【００７２】
例えば、基準値記憶エリア２８１に記憶しているヘリウムガスの純度基準値が「５０％」であり、Ｓ１０の処理で取得したヘリウムガスセンサ８２からのヘリウムガスの純度信号に基づいて求めたヘリウムガスの純度が、「５０％」未満であれば（Ｓ１２：ＹＥＳ）、基板ボックス８０内のヘリウムガスの純度が、工場出荷時よりかなり低下しているので、基板ボックス８０が開放されたと判断できる（Ｓ１２：ＹＥＳ）。
【００７３】
従って、管理サーバ１３０のＣＰＵ２２０は、Ｉ／Ｏバス２２３を介して、ビデオコントローラ２２４に警告報知の信号を送り、ＣＲＴ２３０にパチンコ機１の台番号と基板ボックス８０の開放を示す「ＸＸＸ番台、基板ボックス開放」、又は「ＸＸＸ番台、基板ボックス内ヘリウムガス純度低下」等の文字を表示する（Ｓ１３）。これにより、遊技場の製造会社の従業員に、基板ボックス８０が開放されたことを報知することができる。その後、監視処理終了の指示がなされるまで、上記Ｓ１０〜Ｓ１３の処理を繰り返す。尚、Ｓ１３の報知処理時に、管理サーバ１３０のＣＰＵ２２０からＩ／Ｏバス１４３、ＬＡＮカード２２９、ルータ２３２及びインターネット１２０を介してホールコンピュータ１００のＣＰＵ１４０へ遊技球の発射停止信号を送り、ホールコンピュータ１００のＣＰＵ１４０は、Ｉ／Ｏバス１４３及び遊技機接続端子１５１を介して、パチンコ機１の主制御基板４１のＣＰＵ５１へ遊技球の発射停止信号を送り、主制御基板４１のＣＰＵ５１は払出制御基板４５に遊技球の発射停止信号を送り、払出制御基板４５が発射基板６６に発射モーター６７の停止信号送り、発射基板６６が発射モーター６７を停止するようにしても良い。
【００７４】
次に、基板ボックス８０の開放を検出し報知する監視処理の変形例について、図１２を参照して説明する。図１２は、基板ボックス８０の開放を検出して報知する監視処理の変形例のフローチャートである。この変形例では、一定時間間隔で、ヘリウムガスの純度を測定して、その差に基づいて、基板ボックス８０の開放を検出するものである。
【００７５】
パチンコ機１に電源が供給されて起動されると、パチンコ機１の主制御基板４１では、図１２に示すフローチャートに従った基板ボックス８０の開放を検出し報知する監視処理を行う。まず、ヘリウムガスセンサ８２からのヘリウムガスの純度信号を取得しＲＡＭ５２に記憶する（Ｓ２０）。次いで、設定時間経過か否かを判断する（Ｓ２１）。例えば、プログラムに予め設定されている時間が「５分」の場合には、５分経過すると（Ｓ２１：ＹＥＳ）、再度、ヘリウムガスセンサ８２からのヘリウムガスの純度信号を取得しＲＡＭ５２に記憶する（Ｓ２２）。次いで、その２つのヘリウムガスの純度信号に基づくヘリウムガスの純度を比較し差を求める（Ｓ２３）。
【００７６】
次いで、純度差が基準値以上か否かを判断する（Ｓ２４）。例えば、ＲＯＭ５３に記憶しているヘリウムガスの純度差の基準値が「４０％」であり、Ｓ２４で判定したヘリウムガスの純度の差が、「４０％」以上であれば（Ｓ２４：ＹＥＳ）、基板ボックス８０内のヘリウムガスの純度が、急激に変化してしているので、基板ボックス８０が開放されたと判断できる。従って、主制御基板４１のＣＰＵ５１から電飾基板４６へ、基板ボックス開放報知信号を送り、報知ランプ８６を所定の点滅パターンで点滅させる（Ｓ２５）。これにより、遊技場の従業員に、基板ボックス８０が開放されたことを報知することができる。その後、監視処理終了の指示がなされるまで、上記Ｓ２０〜Ｓ２５の処理を繰り返す。
【００７７】
次に、ホールコンピュータ１００で行われる基板ボックス８０の開放を検出し報知する監視処理について、図１２に示すフローチャートを参照して説明する。ホールコンピュータ１００のＣＰＵ１４０は、遊技機接続端子１５１を介して、接続されているパチンコ機１のヘリウムガスセンサ８２からのヘリウムガスの純度信号を取得しＲＡＭ１４１に記憶する（Ｓ２０）。次いで、設定時間経過か否かを判断する（Ｓ２１）。例えば、プログラムに予め設定されている時間が「５分」の場合には、５分経過すると（Ｓ２１：ＹＥＳ）、再度、ヘリウムガスセンサ８２からのヘリウムガスの純度信号を取得しＲＡＭ１４１に記憶する（Ｓ２２）。次いで、その２つのヘリウムガスの純度信号に基づくヘリウムガスの純度を比較し差を求める（Ｓ２３）。
【００７８】
純度差が基準値以上か否かを判断する（Ｓ２４）。例えば、基準値記憶エリア４８１に記憶しているヘリウムガスの純度差の基準値が「４０％」であり、Ｓ２３で求めたヘリウムガスの純度の差が、「４０％」以上であれば（Ｓ２４：ＹＥＳ）、基板ボックス８０内のヘリウムガスの純度が、急激に変化してしているので、基板ボックス８０が開放されたと判断できる。従って、ホールコンピュータ１００のＣＰＵ１４０は、Ｉ／Ｏバス１４３を介して、ビデオコントローラ１４４に警告報知の信号を送り、ＣＲＴ１５３にパチンコ機１の台番号と基板ボックス８０の開放を示す「ＸＸＸ番台、基板ボックス開放」、又は「ＸＸＸ番台、基板ボックス内ヘリウムガス純度低下」等の文字を表示する（Ｓ２５）。これにより、遊技場の従業員に、基板ボックス８０が開放されたことを報知することができる。その後、監視処理終了の指示がなされるまで、上記Ｓ２０〜Ｓ２５の処理を繰り返す。
【００７９】
尚、ホールコンピュータ１００では、遊技機接続端子１５１を介して、接続されているパチンコ機１のヘリウムガスセンサ８２からのヘリウムガスの純度信号を、ＬＡＮカード１４９、ハブ１５０、及びルータ１５２を介して、インターネット１２０を経由して、遊技機製造会社の管理サーバ１３０に送信している。
【００８０】
遊技機製造会社の管理サーバ１３０では、図１２に示すフローチャートに従って基板ボックス８０の開放を検出し報知する監視処理を行っている。まず、管理サーバ１３０のＣＰＵ２２０は、ホールコンピュータ１００からインターネット１２０を介して送信されて来るパチンコ機１のヘリウムガスセンサ８２からのヘリウムガスの純度信号を取得しＲＡＭ２２１に記憶する（Ｓ２０）。次いで、設定時間経過か否かを判断する（Ｓ２１）。例えば、プログラムに予め設定されている時間が「５分」の場合には、５分経過すると（Ｓ２１：ＹＥＳ）、再度、ホールコンピュータ１００からインターネット１２０を介して送信されて来るパチンコ機１のヘリウムガスセンサ８２からのヘリウムガスの純度信号を取得しＲＡＭ２２１に記憶する（Ｓ２２）。次いで、その２つのヘリウムガスの純度信号に基づくヘリウムガスの純度を比較する（Ｓ２３）。
【００８１】
純度差が基準値以上か否かを判断する（Ｓ２４）。例えば、ハードディスク装置２２８の基準値記憶エリア２８１に記憶しているヘリウムガスの純度差の基準値が「４０％」であり、Ｓ２４で判定したヘリウムガスの純度の差が、「４０％」以上であれば（Ｓ２４：ＹＥＳ）、基板ボックス８０内のヘリウムガスの純度が、急激に変化してしているので、基板ボックス８０が開放されたと判断できる。従って、管理サーバ１３０のＣＰＵ２２０は、Ｉ／Ｏバス２２３を介して、ビデオコントローラ２２４に警告報知の信号を送り、ＣＲＴ２３０にパチンコ機１の台番号と基板ボックス８０の開放を示す「ＸＸＸ番台、基板ボックス開放」、又は「ＸＸＸ番台、基板ボックス内ヘリウムガス純度低下」等の文字を表示する（Ｓ２５）。これにより、遊技場の製造会社の従業員に、基板ボックス８０が開放されたことを報知することができる。その後、監視処理終了の指示がなされるまで、上記Ｓ２０〜Ｓ２５の処理を繰り返す。上記の純度差を用いて判定する方法では、経年変化によりヘリウムガスが基板ボックス８０から少しずつ抜ける場合には、誤って、基板ボックス８０が開放されたと判断されることがない。
【００８２】
次に、図１３を参照して、基板ボックス８０の変形例である基板ボックス３８０を説明する。図１３は、基板ボックス８０の変形例である基板ボックス３８０を示す斜視図である。この基板ボックス３８０は、基板ボックス内全体にヘリウムガスを充填するのではなく、基板ボックス３８０内に、ＬＳＩ５０とヘリウムガスセンサ８２のみを密閉して覆おう収容箱８０ｋを設けて、収容箱８０ｋの上部に充填バルブ９０と放出バルブ９１と設け、収容箱８０ｋの下部の主制御基板４１との当接部分に密閉用のパッキン（図示外）を設けたものである。このようにすることにより、少ないヘリウムガスにより、上記の実施の形態を同様の効果を奏することができる。
【００８３】
尚、上記の実施の形態では、基板ボックス８０内に、熱伝導率の良いヘリウムガスを充填しているので、主制御基板４１に設けられている電子部品から出る熱を基板ボックス８０に伝えて、放熱効率を上げることが可能となる。また、基板ボックス８０をアルミニウム製等の金属製とすれば、内部に充填した熱伝導率の良いヘリウムガスの効果と合わせて、主制御基板４１に設けられている電子部品から出る熱を効率よく放熱することができる。
【００８４】
上記実施の形態では、ホールコンピュータ１００の基準値記憶エリア４８１及び管理サーバ１３０の基準値記憶エリア２８１に記憶されているヘリウムガスの基準値は、任意に変更可能である。この基準値を変更しておくことによって、経年変化によるヘリウムガスの純度の低下にも対応することができる。
【００８５】
尚、本発明は、各種の変形が可能である。例えば、上記実施の形態では、パチンコ機を例に説明したが、パチスロ機、パチコン機等各種の遊技機に本発明が適用できる。また、パチンコ機の場合には、ＣＲ機、現金機等各種のタイプのパチンコ機に適用できることは言うまでもない。さらに、上記の実施の形態では、ＬＳＩ５０の内部には、ＣＰＵ、ＲＡＭ及びＲＯＭが一体になって内蔵されているものを例として説明したが、本発明は、必ずしもＣＰＵ、ＲＡＭ及びＲＯＭが一体になっているものに限られず、各種の集積回路に適用できることは言うまでもない。例えば、ＬＳＩ５０の内部には、プログラム等を記憶したＲＯＭのみを内蔵しても良いし、ＣＰＵだけを内蔵しても良いし、ＲＡＭだけを内蔵しても良い。さらに、基板ボックス８０に収納されるのは、主制御基板４１だけでなく、全ての制御基板を収納するようにしても良い。尚、基板ボックス８０に充填するガスは、ヘリウムガスに限られず、空気と成分の異なる任意のガスを用いることができる。
【００８６】
また、基板ボックス８０が開放されたことを報知する報知ランプ８６は、パチンコ機１上に設けたもの以外に、パチンコ機１が設置されている島設備に設けたランプや遊技場の事務室に設けたランプを報知ランプとしても良い。また、管理サーバ１３０に設けたランプを基板ボックス８０が開放されたことを報知する報知ランプとしても良い、さらに、遊技機の製造会社とは異なる独立の機関や警備会社等に設けた管理サーバに接続されたＣＲＴの画面に基板ボックス８０が開放されたことを報知する表示を出すようにしても良い。
【００８７】
また、上記の実施の形態では、基板ボックス８０の開放を検出し報知する監視処理を図１１に示すフローチャートにように、ヘリウムガスセンサ８２から取得したガスの純度信号を基準値と比較して、基準値未満か否かを判断していたが、図１４に示す変形例のようにしても良い。図１４は、基板ボックス８０の開放を検出し報知する監視処理の変形例のフローチャートである。以下、図１４を参照して、基板ボックス８０の開放を検出し報知する監視処理の変形例を説明する。
【００８８】
この変形例では、図１４に示すフローチャートの基板ボックス８０の開放を検出して報知する監視処理は、パチンコ機１のＣＰＵ５１と、ホールコンピュータ１００のＣＰＵ１４０と、管理サーバ１３０のＣＰＵ２２０の何れで行っても良い。
【００８９】
まず、パチンコ機１に電源が供給されて起動されると、パチンコ機１の主制御基板４１では、ヘリウムガスセンサ８２からのヘリウムガスの純度信号を取得しＲＡＭ５２に記憶する（Ｓ３０）。次いで、ＲＯＭ５３に記憶しているヘリウムガスの基準値と比較する（Ｓ３１）。
【００９０】
例えば、ＲＯＭ５３に記憶しているヘリウムガスの純度基準値が「１００％」であり、Ｓ３０の処理で取得したヘリウムガスセンサ８２からのヘリウムガスの純度信号に基づいて求めたヘリウムガスの純度が「７０％」であれば、ヘリウムガスの純度の変動幅が「３０％」となる。このとき、ＲＯＭ５３に記憶している所定量の変動幅が「２０％」で有れば、ヘリウムガスの純度の変動幅「３０％」がＲＯＭ５３に記憶している所定量の変動幅の「２０％」以上なので（Ｓ３２：ＹＥＳ）、基板ボックス８０内のヘリウムガスの純度が、工場出荷時よりかなり変動して低下していると判断できる。
【００９１】
従って、基板ボックス８０が開放されたと判断し（Ｓ３２：ＹＥＳ）、主制御基板４１のＣＰＵ５１から電飾基板４６へ、基板ボックス開放報知信号を送り、報知ランプ８６を所定の点滅パターンで点滅させる（Ｓ３３）。これにより、遊技場の従業員に、基板ボックス８０が開放されたことを報知することができる。その後、監視処理終了の指示がなされるまで、上記Ｓ３０〜Ｓ３３の処理を繰り返す。尚、Ｓ３３の報知処理時に、主制御基板４１のＣＰＵ５１から払出制御基板４５に遊技球の発射停止信号を送り、払出制御基板４５が発射基板６６に発射モーター６７の停止信号送り、発射基板６６が発射モーター６７を停止するようにしても良い。
【００９２】
尚、図１４に示すフローチャートの基板ボックス８０の開放を検出し報知する監視処理は、パチンコ機１のＣＰＵ５１で実行するだけでなく、図１１及び図１２に示すフローチャートのようにホールコンピュータ１００のＣＰＵ１４０と、管理サーバ１３０のＣＰＵ２２０の何れで行っても良い。
【００９３】
次に、基板ボックス８０の開放を検出した場合に、パチンコ機１の主制御で行われる遊技球の入賞の検知や大入賞口の開放等の処理を飛ばして、主制御を終了させる処理について図１５及び図１６を参照して説明する。図１５は、パチンコ機１のメインルーチンのフローチャートであり、図１５に示すメインルーチンのフローチャートは、一定間隔の時間（例えば、２ｍｓ）で、図７に示す割込リセット回路５７が発生するリセット信号に従って、主制御基板４１のＣＰＵ５１がスタートから順に処理を行い、スタートから終了までの処理を、２ｍｓ以内で行うようになっている。従って、２ｍｓ間隔でリセット信号が入力されるごとに、スタートから処理が繰り返し行われる。なお、図１５に示すフローチャートの処理を行うプログラムはＲＯＭ５３の制御プログラム記憶エリア（図示外）に記憶されている。図１６は、ヘリウムガス純度環視処理のサブルーチンのフローチャートである。
【００９４】
図１５に示すフローチャートでは、まず、最初のリセット信号が入ると、スタックポインタの指定アドレスをセットするためのスタックポインタセット処理を行う（Ｓ４１）。次いで、ＲＡＭ５２の記憶内容をチェックするＲＡＭチェックが行われる（Ｓ４２）。このＲＡＭチェック（Ｓ４２）は、電源投入時の初期設定処理が行われているか否かを判断するものである。このとき、ＲＡＭ５２の初期設定記憶エリア（図示外）にＳ４３に示す電源投入時初期設定処理で書き込まれる所定の数値が書き込まれているか否かが判断される。初期設定記憶エリアに所定の数値が書き込まれていない場合は（Ｓ４２：ＮＯ）、電源投入後の初期処理が行われていない状態であるので、電源投入時初期設定処理が行われる（Ｓ４３）。この処理では、ＲＡＭ５２の各記憶エリアの記憶値をリセットし、さらに、ループカウンタ記憶エリア（図示外）に記憶されている各ループカウンタの値を各々初期値（例えば、「０」）にセットし、初期設定記憶エリアに所定の数値を記憶させる。その後、処理を終了する。
【００９５】
次のリセット信号で、また、スタートから処理が行われる。まず、ＲＡＭチェック（Ｓ４２）では、初期設定記憶エリアに所定の数値が書き込まれているので、ＲＡＭ５２は正常と判断され（Ｓ４２：ＹＥＳ）、次の液晶画面コマンド出力処理（Ｓ４４）に移行する。この液晶画面コマンド出力処理（Ｓ４４）では、Ｉ／Ｏインターフェース５４を介して、図柄表示基板４４に特別図柄表示装置８を制御する信号が送られる。次いで、音コマンド出力処理（Ｓ４５）に移行する。この音コマンド出力処理（Ｓ４５）では、Ｉ／Ｏインターフェース５４を介して、音基板４３にスピーカー４８を駆動するための信号が送られる。次いで、ランプコマンド出力処理（Ｓ４６）を行う。このランプコマンド出力処理（Ｓ４６）では、パチンコ機１に設けられている各種のランプの点滅の制御を行う信号を電飾基板４６へ出力する。次いで、ポート出力処理を行う（Ｓ４７）。このポート出力処理（Ｓ４７）では、ホールコンピュータ１００にパチンコ機１の大当たり情報、始動情報、確率変動情報、時間短縮情報等の各種の情報を出力ポート５５を介して出力する。
【００９６】
次いで、ヘリウムガス純度環視処理を行う（Ｓ４８）。このヘリウムガス純度環視処理は、図１６に示すフローチャートの処理に従って行う。まず、ヘリウムガスセンサ８２からのヘリウムガスの純度信号を取得しＲＡＭ５２に記憶する（Ｓ６０）。次いで、ＲＯＭ５３に記憶しているヘリウムガスの基準値と比較する（Ｓ６１）。例えば、ＲＯＭ５３に記憶しているヘリウムガスの純度基準値が「７０％」であり、Ｓ１０の処理で取得したヘリウムガスセンサ８２からのヘリウムガスの純度信号に基づいて求めたヘリウムガスの純度が、「７０％」未満であれば（Ｓ６２：ＹＥＳ）、基板ボックス８０内のヘリウムガスの純度が、工場出荷時よりかなり低下しているので、基板ボックス８０が開放されたと判断できるので、主制御基板４１のＣＰＵ５１から電飾基板４６へ、基板ボックス開放報知信号を送り、報知ランプ８６を所定の点滅パターンで点滅させると共に、ヘリウムガス検知フラグを「ＯＮ」としてＲＡＭ５２に記憶する（Ｓ６３）。その後、メインルーチンにリターンする。
【００９７】
次に、図１５に示すフローチャートのＳ４９の判断処理では、ヘリウムガスフラグがＯＮか否かを判断する（Ｓ４９）。ＲＡＭ５２に記憶された検知フラグがＯＮとなっていれば（Ｓ４９：ＹＥＳ）、基板ボックス８０が不法に開放されたと判断されるので、後述するＳ５０〜Ｓ５７の処理をスキップしてパチンコ機１のメインルーチンの制御を直ちに終了する。
【００９８】
また、Ｓ４９の判断で、ヘリウムガス検知フラグがＯＦＦと判断されれば（Ｓ４９：ＮＯ）、基板ボックス８０が不法に開放されていないので、スイッチ読込処理（Ｓ５０）が行われる。このスイッチ読込処理（Ｓ５０）では、普通図柄始動ゲート１１，１２、特別図柄始動電動役物１５、大入賞口１６、普通入賞口１９，２０等への遊技球の入賞を検出するものである。このスイッチ読込処理（Ｓ５０）では、具体的には、特別図柄始動電動役物１５に設けられている始動口スイッチ７２、普通図柄始動ゲート１１，１２に各々設けられている普通図柄作動スイッチ７３、大入賞口１６のＶゾーンに設けられているＶスイッチ７４、大入賞口１６に設けられているカウントスイッチ７５、普通入賞口１９，２０等入賞口からの遊技球の入賞を検出する入賞口スイッチ７６が遊技球の入賞を検出した場合には、ＲＡＭ５２の入賞球フラグ記憶エリア（図示外）に各スイッチに対応したフラグが立つ。
【００９９】
スイッチ読込処理（Ｓ５０）が終了すると、次いで、ループカウンタ更新処理（Ｓ５１）を行う。このループカウンタ更新処理（Ｓ５１）では、ＲＡＭ５２のループカウンタ記憶エリア（図示外）に各々記憶されている普通図柄選択用ループカウンタＬＣ１、大当たり判定用ループカウンタＬＣ２、特別図柄作成カウンタＬＣ３乃至ＬＣ８、確率変動判定ループカウンタＬＣ９、リーチ判定カウンタＬＣ１０、リーチパターン決定カウンタＬＣ１１の値を上記の所定量だけ増加する（インクリメントする）。なお、各ループカウンタに設定されている最大値を越える場合には、各ループカウンタの値は０クリアされ、「０」に戻るようにプログラムされている。
【０１００】
次に、パチンコ機１にエラーが発生しているか否かが判断され（Ｓ５２）、パチンコ機１にエラーが発生している場合には（Ｓ５２：ＹＥＳ）、条件装置処理（Ｓ５３）、特別図柄処理（Ｓ５４）、普通図柄処理（Ｓ５５）を飛ばして処理を行い、特別図柄表示装置８にエラー表示等をさせる。エラーが発生していないときには（Ｓ５２：ＮＯ）、条件装置処理（Ｓ５３）に進む。
【０１０１】
次いで、この条件装置処理（Ｓ５３）では、大入賞口１６の開放、閉鎖、特別図柄表示装置８への大当たりデモ表示処理が行われる。一巡目の処理では、後述する特別図柄処理（Ｓ５４）での大当たり判定処理がまだ行われていないので、条件装置処理（Ｓ５３）では、何も行われず次の処理に進む。次いで、特別図柄処理（Ｓ５４）が行われる。
【０１０２】
この特別図柄処理（Ｓ５４）では、大当たり判定処理等が行われる。この特別図柄処理（Ｓ５４）が終了すると、次に、普通図柄処理（Ｓ５５）が行われる。この普通図柄処理（Ｓ５５）では、普通図柄始動ゲート１１，１２への遊技球の通過により、普通図柄選択用ループカウンタＬＣ１のカウント値が、普通図柄乱数として、ＲＡＭ５２の普通図柄乱数記憶エリア（図示外）に記憶されているので、その普通図柄乱数に基づいて、普通図柄表示部に図柄が停止表示される。当たり図柄が普通図柄表示部に表示されているときには、所定時間、特別図柄始動電動役物１５の開閉部材（いわゆるチューリップ）が開成して、特別図柄始動電動役物１５へ遊技球が入賞しやすくなるものである。
【０１０３】
普通図柄処理（Ｓ５５）が終了すると、次に、賞品球の払い出しを行う払出制御（Ｓ５６）が行われ、枠ランプ制御（Ｓ５７）を経てメインルーチンの処理が終了する。なお、このメインルーチンの処理は各サブルーチンの処理を含めて、２ｍｓ以内に終了する。そして、割込リセット回路５７からのリセット信号により、ＣＰＵ５１は、図１５に示すメインルーチンの処理を、スタートから繰り返し行う。従って、図１５に示すメインルーチンの処理が、２ｍｓ単位で繰り返されていることになる。先の一巡目のメインルーチンの処理の特別図柄処理（Ｓ５４）で大当たり状態と判定されれば、ＲＡＭ５２の大当たりフラグ記憶エリア（図示外）に大当たりフラグがＯＮが記憶され、以後の条件装置処理（Ｓ５３）では、大当たりフラグがＯＮとなっていれば、大入賞口１６の開放、閉鎖の動作が所定回数（例えば、１５回や１６回）行われる。
【０１０４】
以上説明したように、上記の実施の形態では、基板ボックス８０内のヘリウムガスの純度が基準値以下に低下した場合には、パチンコ機１の以後の制御を直ちに中止するので、不正行為による誤ったスイッチ読み込みや賞球の払出を防止することができる。尚、Ｓ４８のヘリウムガス純度環視処理は、図１６に示すフローチャート以外の方法でもかまわない、例えば、図１４に示すフローチャートの様な判定を行っても良い。
【０１０５】
【発明の効果】
以上説明したように、請求項１に係る発明の制御基板の収納体は、収納体を閉じた状態のときに、上蓋部と下蓋部とにより密閉空間が形成され、充填口からは、密閉空間内に外部から所定のガスが充填され、放出口からは、密閉空間内の気体が外部へ放出される。また、検知手段が密閉空間に充填された所定のガスの状態を検知することができる。従って、遊技場の従業者等は収納体の不正開閉等が発生したか否かを収納体を見なくても容易に知ることができる。また、制御基板のチェック等で収納体を開閉しなければならないとき等、ガスを充填したいときに容易にガスの充填が可能である。また、ガスの充填前に放出口から真空ポンプにより空気を抜いて密閉空間内を真空にすれば、効率良くガスの充填が可能であり、収納体毎の検知結果のバラつきをなくすことができる。
【０１０６】
また、請求項２に係る発明の制御基板の収納体は、上蓋部の一部と制御基板とにより密閉空間が形成され、充填口からは、密閉空間内に外部から所定のガスが充填され、放出口からは、密閉空間内の気体が外部へ放出される。また、検知手段が密閉空間に充填された所定のガスの状態を検知することができる。従って、遊技場の従業者等は収納体の不正開閉等が発生したか否かを収納体を見なくても容易に知ることができる。また、制御基板のチェック等で収納体を開閉しなければならないとき等、ガスを充填したいときに容易にガスの充填が可能である。また、ガスの充填前に放出口から真空ポンプにより空気を抜いて密閉空間内を真空にすれば、効率良くガスの充填が可能であり、収納体毎の検知結果のバラつきをなくすことができる。
【０１０７】
また、請求項３に係る発明の制御基板の収納体は、請求項１又は２に記載の発明の効果に加えて、検知手段の検知結果を、伝達手段は収納体の開放が行われたことを報知する報知手段に伝達することができる。
【０１０８】
また、請求項４に係る発明の制御基板の収納体は、請求項１乃至３の何れかに記載の発明の効果に加えて、所定のガスとして、ヘリウムガスが充填される。ヘリウムガスは一般的に広く市販されており、人体や制御基板上の制御機器に無害なうえ、空気に比べて明らかに熱の伝達性が良く、電子部品（トランス、ＣＰＵ等）から発生した熱をすみやかに収納体外へ放出する効果がある。
【０１０９】
また、請求項５に係る発明の遊技機は、請求項１乃至４の何れかに記載の発明の効果を奏することができる。
【０１１０】
また、請求項６に係る発明の遊技システムでは、遊技機に備えた収納体を閉じた状態のときに、上蓋部と下蓋部とにより密閉空間が形成され、充填口からは、密閉空間内に外部から所定のガスが充填され、放出口からは、密閉空間内の気体が外部へ放出される。また、検知手段が密閉空間に充填された所定のガスの状態を検知し、報知手段が、検知手段の検知結果に基づいた報知を行う。遊技機から離れたところ（ホールコンピュータの設置された管理室等）からでも、収納体に不具合が発生したことを知ることができる。また、遊技機毎の報知手段の一括管理が可能である。さらに、充填口からは、密閉空間内に外部から所定のガスが充填され、放出口からは、密閉空間内の気体が外部へ放出される。従って、制御基板のチェック等で収納体を開閉しなければならないとき等、ガスを充填したいときに容易にガスの充填が可能である。また、ガスの充填前に放出口から真空ポンプにより空気を抜いて密閉空間内を真空にすれば、効率良くガスの充填が可能であり、収納体毎の検知結果のバラつきをなくすことができる。
【０１１１】
また、また、請求項７に係る発明の遊技システムでは、上蓋部の一部と制御基板とにより密閉空間が形成され、充填口からは、密閉空間内に外部から所定のガスが充填され、放出口からは、密閉空間内の気体が外部へ放出される。また、検知手段が密閉空間に充填された所定のガスの状態を検知し、報知手段が、検知手段の検知結果に基づいた報知を行う。遊技機から離れたところ（ホールコンピュータの設置された管理室等）からでも、収納体に不具合が発生したことを知ることができる。また、遊技機毎の報知手段の一括管理が可能である。さらに、充填口からは、密閉空間内に外部から所定のガスが充填され、放出口からは、密閉空間内の気体が外部へ放出される。従って、制御基板のチェック等で収納体を開閉しなければならないとき等、ガスを充填したいときに容易にガスの充填が可能である。また、ガスの充填前に放出口から真空ポンプにより空気を抜いて密閉空間内を真空にすれば、効率良くガスの充填が可能であり、収納体毎の検知結果のバラつきをなくすことができる。
【０１１２】
また、請求項８に係る発明の遊技システムでは、請求項６又は７に記載の発明の効果に加えて、当該ホストコンピュータに設けられた報知判断手段は、検知手段の検知結果を受信して報知手段による報知を行うか否かを判断し、当該報知判断手段が報知を行うと判断したときに、報知制御手段は、報知手段を制御して報知を行うことができる。従って、当該ホストコンピュータに設けられた報知判断手段及び報知制御手段は、ネットワークに接続される複数の遊技機に対して共通に使用できるため、遊技機側での処理を軽減し、個々の遊技機の製造コストの上昇を避けることができ、システム全体の価格が高くなるのを防止できる。
【０１１３】
また、請求項９に係る発明の遊技システムでは、請求項６乃至８の何れかに記載の発明の効果に加えて、当該ホストコンピュータの遊技機停止判断手段は、検知手段の検知結果を受信して遊技機の特定の制御を停止させるか否かを判断し、当該遊技機停止判断手段が遊技機の特定の制御を停止させると判断したときに、停止制御手段は、遊技機の特定の制御の停止を行うことができる。従って、不正行為の発生時には、直ちに遊技機の特定の制御を停止させることができ、不正行為による被害を防止できる。
【０１１４】
また、請求項１０に係る発明の遊技システムでは、請求項６乃至９の何れかに記載の発明の効果に加えて、当該ホストコンピュータの遊技機停止判断手段は、検知手段の検知結果を受信して遊技機の遊技球の発射制御を停止させるか否かを判断し、当該遊技機停止判断手段が遊技機の遊技球の発射制御を停止させると判断したときに、停止制御手段は、遊技機の遊技球の発射制御の停止を行う。従って、不正行為の発生時には、直ちに遊技球の発射を停止させることができ、不正行為による被害を防止できる。
【０１１５】
また、請求項１１に係る発明の遊技システムでは、請求項６乃至９の何れかに記載の発明の効果に加えて、当該ホストコンピュータの遊技機停止判断手段は、検知手段の検知結果を受信して遊技機の主制御を停止させるか否かを判断し、当該遊技機停止判断手段が遊技機の主制御を停止させると判断したときに、停止制御手段は、遊技機の主制御の停止を行う。従って、不正行為の発生時には、直ちに遊技機の主制御を停止させることができ、不正行為による被害を防止できる。
【０１１６】
また、請求項１２に係る発明の遊技システムでは、請求項６乃至１１の何れかに記載の発明の効果に加えて、表示手段が所定のガスの状態、又は収納体の開閉状態の少なくとも一方に関する情報を表示することができる。従って、視覚的に捉えることができるため、遊技場がうるさくても収納体に発生した不具合を確実に知ることができる。
【０１１７】
【０１１８】
また、請求項１３に係る発明の遊技システムは、請求項６乃至１２の何れかに記載の発明の効果に加えて、所定のガスとして、ヘリウムガスが充填される。ヘリウムガスは一般的に広く市販されており、人体や制御基板上の制御機器に無害なうえ、空気に比べて明らかに熱の伝達性が良く、電子部品（トランス、ＣＰＵ等）から発生した熱をすみやかに収納体外へ放出する効果がある。
【図面の簡単な説明】
【図１】  図１はパチンコ機１の正面図である。
【図２】  図２はパチンコ機１の遊技盤２の正面図である。
【図３】  図３はパチンコ機１の背面図である。
【図４】  図４は、基板ボックス８０の平面図である。
【図５】  図５は、基板ボックス８０の底面図である。
【図６】  図６は、基板ボックス８０の斜視図である。
【図７】  図７は、パチンコ機１の電気的回路構成を示すブロック図である。
【図８】  図８は、遊技システムの構成を示す概念図である。
【図９】  図９は、遊技システムのを構成する遊技場に設置されたホールコンピュータ１００の電気的構成のブロック図である。
【図１０】  図１０は、遊技システムのを構成する遊技機製造会社の管理サーバ１３０のブロック図である。
【図１１】  図１１は、基板ボックス８０の開放を検出して報知する監視処理のフローチャートである。
【図１２】  図１２は、基板ボックス８０の開放を検出して報知する監視処理の変形例のフローチャートである。
【図１３】  図１３は、基板ボックス８０の変形例である基板ボックス３８０を示す斜視図である。
【図１４】  図１４は、基板ボックス８０の開放を検出し報知する監視処理の変形例のフローチャートである。
【図１５】  図１５は、パチンコ機１のメインルーチンのフローチャートである。
【図１６】  図１６は、ヘリウムガス純度環視処理のサブルーチンのフローチャートである。
【符号の説明】
１  パチンコ機
２    遊技盤
４１  主制御基板
４２  電源基板
４３  音基板
４４  図柄表示基板
４５  払出制御基板
４６  電飾基板
４９  賞品球払出装置
５０  ＬＳＩ
５１  ＣＰＵ
５２  ＲＡＭ
５３  ＲＯＭ
５５  出力ポート
６６  発射基板
６７  発射モータ
８０  基板ボックス
８０ａ  上蓋部
８０ｂ  下蓋部
８２  ヘリウムガスセンサ
８６  報知ランプ
９０  充填バルブ
９１  放出バルブ
９３  パッキン
９５  コネクタ
１００  ホールコンピュータ
１３０  管理サーバ
１４０  ＣＰＵ
１４１  ＲＡＭ
１４２  ＲＯＭ
１４３  Ｉ／Ｏバス
１４８  ハードディスク装置
１５３  ＣＲＴ
１４９  ＬＡＮカード
１５０  ハブ
１５１  遊技機接続端子
２２０  ＣＰＵ
２２１  ＲＡＭ
２２２  ＲＯＭ
２２３  Ｉ／Ｏバス
２２８  ハードディスク装置
２３０  ＣＲＴ
【図１】
0003785498.tif 000002
【図２】
0003785498.tif 000003
【図３】
0003785498.tif 000004
【図４】
0003785498.tif 000005
【図５】
0003785498.tif 000006
【図６】
0003785498.tif 000007
【図７】
0003785498.tif 000008
【図８】
0003785498.tif 000009
【図９】
0003785498.tif 000010
【図１０】
0003785498.tif 000011
【図１１】
0003785498.tif 000012
【図１２】
0003785498.tif 000013
【図１３】
0003785498.tif 000014
【図１４】
0003785498.tif 000015
【図１５】
0003785498.tif 000016
【図１６】
0003785498.tif 000017